(57)【要約】【課題】買上商品に付属して提供しなければならないドレッシングやソースなどの付属商品の渡し忘れを確実に防止することができる商品販売登録装置を提供すること。【解決手段】客が要望する商品を計量し、計量した重量に基づいて金額を算出し商品販売を行う計量器（商品販売登録装置）１である。計量器１は、商品の重量を計量する計量部４７と、登録された商品に付属商品があるか否かを判断し付属商品がある場合に付属商品を計量部４７に載置する旨の報知を行う制御部とを有する。【選択図】図５
2018005813.tif 000002
【特許請求の範囲】
【請求項１】
商品を計量して登録を行う登録手段と、
商品の重量を計量する計量部と、
登録された商品に付属商品があるか否かを判断し、付属商品がある場合は前記付属商品を前記計量部に載置する旨の報知を行う制御部と、
を有することを特徴とする商品販売登録装置。
【請求項２】
前記制御部は、前記客が要望する商品の金額を確定させたときに前記報知を行うことを特徴とする請求項１に記載の商品販売登録装置。
【請求項３】
前記制御部は、前記付属商品が前記計量部に載置されたと判断されるまで、次なる操作を禁止することを特徴とする請求項１又は２に記載の商品販売登録装置。
【請求項４】
前記制御部は、前記付属商品が前記計量部に載置されたと判断した場合に、前記報知を解除することを特徴とする請求項１又は２又は３に記載の商品販売登録装置。
【請求項５】
前記制御部は、前記客が要望する商品を前記計量部に載置した状態で前記付属商品を計量する旨の報知を行うことを特徴とする請求項１乃至４の内の何れかに記載の商品販売登録装置。
【発明の詳細な説明】
【技術分野】
【０００１】
本発明は、客が要望する商品を計量して販売する商品販売登録装置に関するものである。
【背景技術】
【０００２】
従来、客が要望する商品を計量して販売する際に、その商品と共にその商品の付属商品を併せて客に手渡すような場合がある。付属商品としては、例えば、ドレッシングやソース、箸、スプーン、ストロー等がある。そして従来の計量装置では、これら付属商品の渡し忘れが頻繁に起こっていた。
【先行技術文献】
【特許文献】
【０００３】
【特許文献１】特開２００５−３００３３６号公報
【発明の概要】
【発明が解決しようとする課題】
【０００４】
このような渡し忘れを防止するため、従来、例えば特許文献１に示すように、計量装置の表示部に買上商品を表示する際に、併せてその商品の付属商品も表示することとし、これによって前記渡し忘れを防止する方法も考えられていた。
【０００５】
しかしながら、計量装置の表示部に付属商品を表示する方法を用いても、付属商品の渡し忘れを確実に防止することは困難で、表示部の見落とし等による付属商品の渡し忘れが発生していた。
【０００６】
本発明は上述の点に鑑みてなされたものでありその目的は、買上商品に付属して提供しなければならないドレッシングやソースなどの付属商品の渡し忘れを確実に防止することができる商品販売登録装置を提供することにある。
【課題を解決するための手段】
【０００７】
本発明は、商品を計量して登録を行う登録手段と、商品の重量を計量する計量部と、登録された商品に付属商品があるか否かを判断し、付属商品がある場合は前記付属商品を前記計量部に載置する旨の報知を行う制御部と、を有することを特徴としている。
一旦、付属商品を計量部に載置させるので、商品を客に手渡す際に、付属商品を渡し忘れることを防止できる。
【０００８】
ここで前記制御部は、前記客が要望する商品の金額を確定させたときに前記報知を行うことが好ましい。１つの商品の計量と金額を確定させる毎に報知を行うことで、その商品の付属商品を計量部に載置させる構成としても良いし、複数の商品の計量と金額を確定して登録した後にまとめて付属商品の報知を行うことで、複数の商品の付属商品をまとめて計量部に載置させる構成としても良い。
商品の金額確定後に、付属商品を計量部に載置させるので、商品の金額確定と付属商品の渡し忘れの防止とを確実に実行することができる。
【０００９】
また前記制御部は、前記付属商品が前記計量部に載置されたと判断されるまで、次なる操作を禁止することが好ましい。
報知のみでなく、付属商品が計量部に載置されるまで次なる操作が行えないので、付属商品を確実に計量部に載置させることができ、これによってさらに確実に、付属商品の渡し忘れを防止することができる。
【００１０】
また前記制御部は、前記付属商品が前記計量部に載置されたと判断した場合に、前記報知を解除することが好ましい。
付属商品が計量部に載置されるまで報知を継続してその載置を促すので、より確実に付属商品の計量部への載置を行わせることができ、その渡し忘れを防止できる。
【００１１】
また前記制御部は、前記客が要望する商品を前記計量部に載置した状態で前記付属商品を計量する旨の報知を行うことが好ましい。
商品とその付属商品とを同時に計量部に載置させることで、より確実に、付属商品の渡し忘れを防止することができる。
【発明の効果】
【００１２】
本発明によれば、買上商品に付属して提供しなければならない付属商品の渡し忘れを確実に防止することができる。
【図面の簡単な説明】
【００１３】
【図１】商品販売登録装置１の斜視図である。
【図２】商品販売登録装置１の機能ブロック図の一例を示す図である。
【図３】商品ファイル５０の一例を示す図である。
【図４】付属商品ファイル６０の一例を示す図である。
【図５】計量器１が実行する計量処理の一例を示す動作フロー図である。
【図６】登録画面Ｇ１の一例を示す図である。
【図７】登録画面Ｇ１の一例を示す図である。
【図８】登録画面Ｇ１の一例を示す図である。
【図９】登録画面Ｇ１の一例を示す図である。
【図１０】小計画面Ｇ２の一例を示す図である。
【図１１】フローティングシステム１００の一構成例を示す図である。
【図１２】計量器１が実行する計量処理の他の一例を示す動作フロー図である。
【図１３】登録画面Ｇ１−２の一例を示す図である。
【図１４】小計画面Ｇ２−２の一例を示す図である。
【図１５】小計画面Ｇ２−２の一例を示す図である。
【発明を実施するための形態】
【００１４】
以下、本発明の実施形態を図面を参照して詳細に説明する。
図１は本発明の一実施形態にかかる商品販売登録装置（以下「計量器」という）１の斜視図である。この計量器１は、客との対面販売に用いて好適な計量器であり、この計量器１を用いて店員が商品を計量・値付け・精算した後、客に商品を手渡す。
【００１５】
同図に示すように、計量器１は、本体部１１の上面に計量皿（載置部）１３を設置し、また本体部１１の前面側に表示及び操作部１５を設置して構成されている。本体部１１の外周側壁の所定位置（１角部）には、ラベル発行口１７が設けられている。表示及び操作部１５の表面には、表示操作面１９と、テンキー入力部２１とが設けられている。
【００１６】
図２は計量器１の機能ブロック図の一例を示す図である。同図に示すように、計量器１は、この計量器１の動作を制御するＣＰＵ（制御部）３１と、計量処理が終了後にＲＡＭ（記憶部）３７が記憶する情報を転送して記憶するハードディスク３３と、ＣＰＵ３１が実行するプログラムを記憶するＲＯＭ３５と、種々の情報を記憶するＲＡＭ３７と、計量器１を動作させる操作部３９と、計量結果に基づくデータを印刷したラベルを発行する発行部４１と、計量器１の操作方法や計量結果を表示する表示部４３と、他の機器と通信を行う通信部４５と、ロードセルを用いて量り売りする商品の計量を行う計量部４７と、を備えて構成されている。各構成要素は互いにバスを介して接続されている。なお前記図１に示す表示及び操作部１５の表示操作面１９は、液晶のタッチパネルで構成されており、表示部４３であると共に操作部３９である。また前記図１に示すテンキー入力部２１は、操作部３９である。
【００１７】
図３は、前記ＲＡＭ３７に記憶される商品ファイル５０の一例を示す図である。同図に示すように、商品ファイル５０は、各商品の商品コード（商品識別情報）、商品名、単価、付属商品コードなどの各種商品情報からなっている。ここで「単価」とは、計量商品（重さによって価格の異なる商品、不定貫商品）の場合は、例えば、１００ｇ当りの単価を示し、非計量商品（１個の値段が決まっている商品、定貫商品）の場合は、１単位（１個、１パック等）の値段を示している。具体的には、「ヒレカツ」は計量商品であって、２８０円／１００ｇであり、「五目チャーハン」は非計量商品であって、１個（１皿）５５０円である。また、「付属商品コード」は、その商品に付属商品がある場合に記憶される。ここで「付属商品」とは、客が購入しようとする商品に付属して客に渡す商品であり、例えば、商品「ヒレカツ」の場合は、付属商品「ウスターソース」等である。商品ファイル５０には、図示はしていないが、さらに風袋の重量などを記憶してもよい。
【００１８】
図４は、前記ＲＡＭ３７に記憶される付属商品ファイル６０の一例を示す図である。同図に示すように、付属商品ファイル６０は、付属商品コード（付属商品識別情報）、付属商品名、単位、重量などの各種付属商品情報からなっている。ここで「単位」とは、付属商品１個（１単位）を添付する商品の重量又は数をいう。具体的に、「ヒレカツ」に添付する「ウスターソース」は、「ヒレカツ」１５０ｇまでの場合は１個を添付し、１５０ｇ〜３００ｇの場合は２個添付する。また「五目チャーハン」に添付する「スプーン（大）」は、「五目チャーハン」１個（１皿）の場合は１個を添付し、２個の場合は２個添付する。次に「重量」は、その付属商品１つ当りの重量である。
【００１９】
図５は、計量器１が実行する計量処理の一例を示す動作フロー図である。この図に示される処理は、ＣＰＵ３１がＲＯＭ３５に記憶されているプログラムを実行することにより実現される。即ち予め、上記のように、商品に付属商品を付加するか否か、またどのような付属商品を付加するか等を商品ファイル５０に設定し、また付属商品の添付単位や重量等を付属商品ファイル６０に設定しておく。
【００２０】
そして、計量器１の表示操作面１９に、例えば図６に示すような登録画面Ｇ１を表示する（ステップＳＴ１）。図６は表示操作面１９に表示した登録画面Ｇ１の一例を示す図である。同図に示すように登録画面Ｇ１には、選択可能な複数の商品欄Ｇ１１、選択商品表示欄Ｇ１２、風袋重量表示欄Ｇ１３、品番表示欄Ｇ１４、商品重量表示欄Ｇ１５、内容量表示欄Ｇ１６、単価表示欄Ｇ１７、値段表示欄Ｇ１８、頁切換ボタンＧ１９、扱者欄Ｇ２１等が表示されている。商品欄Ｇ１１は、文字だけでなく、その商品の絵等を表示しても良い。
【００２１】
次に、何れかの商品欄Ｇ１１を指で押下（タッチ）することで、その商品を選択し（ステップＳＴ２）、続いてその商品を計量皿１３に載置してその商品の計量を行う（ステップＳＴ３）。例えばこの例では、商品欄Ｇ１１の内の「ヒレカツ」を押下して商品を選択した後、その商品「ヒレカツ」を計量皿１３に載置してその商品の計量を行う（ステップＳＴ３）。これによって図７に示すように、選択された商品「ヒレカツ」が選択商品表示欄Ｇ１２に表示され、また、確定した計量値や値段等が、それぞれの欄に表示される。
【００２２】
次に、扱者欄Ｇ２１を押下することで、計量・登録処理を完了させると、ＣＰＵ３１は、ステップＳＴ４において、その商品「ヒレカツ」に付属商品があるか否かを判断し、この場合、商品ファイル５０より、付属商品（付属商品コード「０００１」）があるので、図８に示すように、ポップアップ画面Ｐ１によって、付属商品（ウスターソース）がある旨と、その付属商品を所定個数だけ計量皿１３に載せる旨とを報知する（ステップＳＴ５）。表示と共に音声で報知しても良い。なお、付属商品が無い場合（例えば商品「鶏モモ肉生姜たれ」の場合）は、ステップＳＴ４から下記するステップＳＴ８に直接移行して、計量した商品の登録を行う。
【００２３】
次に、前記ステップＳＴ５の指示に従って、付属商品が所定個数計量皿１３に載置されると、既に載置されている商品と新たに載置した付属商品の重量の両者を合わせた重量が計量される（ステップＳＴ６）。そして計量した実際の重量が、前記商品の重量と付属商品とを合算した計算による重量と一致している場合は、正しい付属商品及びその数量が計量皿１３に載置されたと判断し（ステップＳＴ７）、ステップＳＴ８に移行してその商品の登録を行い（ステップＳＴ８）、新たな商品の登録のために、図６に示す登録画面Ｇ１と同様の登録画面Ｇ１を表示する（ステップＳＴ９）。
【００２４】
一方、計量した実際の重量が、前記商品の重量と付属商品とを合算した計算による重量と不一致の場合は、間違った付属商品又はその個数が計量皿１３に載置されたと判断し（ステップＳＴ７）、ステップＳＴ１３に移行し、図９に示すように、ポップアップ画面Ｐ２によって、適正な付属商品又はその個数を載置する旨を表示し、ステップＳＴ６に戻って、適正な付属商品又はその個数が載置されるのを待って計量する。
【００２５】
ここで上記ステップＳＴ６，ＳＴ７，ＳＴ８，ＳＴ１３の処理は、（１）計量皿１３に付属商品を載置すると次の動作が可能になるということもできるし、（２）計量皿１３に付属商品を載置するまで次の操作を禁止するということもできるし、（３）計量皿１３に付属商品を載置しないと次の操作ができないということもできる。
【００２６】
以上のように、ステップＳＴ９で表示された登録画面Ｇ１において、引き続き次の商品を選択する場合は、登録画面Ｇ１に表示された何れかの商品欄Ｇ１１を押下することで、ステップＳＴ１０からステップＳＴ２に移行し、前記と同様の商品登録操作を行う。一方、ステップＳＴ９における登録画面Ｇ１において、商品を指定していない状態で扱者欄（扱者ボタン、登録完了キー）Ｇ２１を押下すると、その押下が全ての商品の計量が終了したことの指示としているので、ステップＳＴ１０からステップＳＴ１１に移行し、図１０に示すような小計画面（加算情報画面）Ｇ２を表示する。小計画面Ｇ２には、それまでに登録した商品に関する情報や小計額や買上点数などが表示される。そしてこの小計額を用いて精算処理を行うことで（ステップＳＴ１２）、一連の計量処理が完了する。
【００２７】
ところで、上記例では、商品を選択した後に商品の計量を行っているが、この順番を逆にし、商品の計量を行った後に、計量した商品を選択しても良い。また上記例では、計量皿１３で計量した商品と、その後計量皿１３に載置した付属商品の両者を合わせた重量を計量することで、付属商品が適切か否かを判断しているが、その代りに、商品を計量皿１３から取り除いた後に付属商品だけを計量皿１３に載せてその重量を計量することで、付属商品が適切か否かを判断しても良い。
【００２８】
また上記例では、商品を１つずつ計量して、付属商品の有無や付属商品が適正か否かを判断したが、その代りに、客が求める全ての商品を計量した後に、小計画面でまとめて報知、即ちまとめて必要な付属商品を表示したり、まとめて必要な付属商品を計量皿１３に載置して付属商品が適正か否かを判断したりしても良い。まとめて必要な付属商品を計量皿１３に載置する場合は、最後に載せている商品とともに全ての付属商品を載置しても良い。
【００２９】
また上記例では、付属商品の重量を予め登録しておいて、計量皿１３に載置された付属商品の重量が予め登録した重量と一致しているか否かを判定したが、その代りに、前記付属商品の重量の登録を省略し（省略しなくても良いが）、単に重量が増えたことのみで、適正な付属商品が載置されたと判断するように構成しても良い。この場合、必ずしも正しい付属商品が載置されたか否かを判断することはできないが、通常、指示された付属商品を間違えて載置する恐れは少ないので、場合によってはこのような対応でもよい。
【００３０】
また上記例では、適正な付属商品が計量皿１３に載置されると、直接自動的に登録画面Ｇ１に戻るように構成したが、その代りに、適正な付属商品が計量皿１３に載置されると、例えばポップアップ画面上に確認ボタンを表示し、この確認ボタンを押下することで、登録画面Ｇ１に戻るように構成しても良い。
【００３１】
また上記例では、付属商品が計量器１の計量皿１３に載置されたか否かを判断する方法として、計量皿１３に載置された付属商品を計量することとしたが、その代りに、例えば計量皿１３に載置された付属商品を撮像手段で認識しても良い。このとき、計量皿１３の所定位置に、専用の付属商品置き場を形成しておくと、判別し易くなる。
【００３２】
また上記例では、計量商品について付属商品を付属する場合について説明したが、定貫商品について付属商品を付属する場合にも適用できる。この場合は、図５に示す動作フロー中の、ステップＳＴ３を省略しても良いし、ステップＳＴ３で商品の計量を行った上で（但し計量値は金額の算出には利用しない）、ステップＳＴ４以下の動作を行っても良い。
【００３３】
図１１は、前記計量器１（１−１，１−２，１−３）を複数台接続して構成されるフローティングシステム１００の一構成例を示す図である。同図に示すように、フローティングシステム１００は、複数台（この例では３台）の計量器１−１，１−２，１−３を、相互に通信線１０１（又は無線）によって接続して構成されている。そして、各計量器１−１，１−２，１−３は、登録された商品データを、各ＲＡＭ３７に共有しており、何れの計量器１−１，１−２，１−３からでも計量、登録、精算といった操作を一連の流れで行うことができる。
【００３４】
具体的に説明すると、例えば計量器１−１はサラダコーナーＣ１に設置され、計量器１−２はフライコーナーＣ２に設置され、計量器１−３はデリコーナーＣ３に設置されているとする。そしてまず客がサラダコーナーＣ１でシーフードサラダを選択し、店員がこれを計量器１−１を用いて計量し、付属商品がある場合はこれを要求し、その後登録する。このときの操作は、前記図５のステップＳＴ１〜ＳＴ１０まで行われるが、ステップＳＴ８において行われた登録の情報は、全ての計量器１−１，１−２，１−３において共有されるようにする。次に、客がフライコーナーＣ２でコロッケを選択し、店員がこれを計量器１−２を用いて計量し、付属商品がある場合はこれを要求し、その後登録すると、その登録の情報は、前記と同様、全ての計量器１−１，１−２，１−３において共有される（ステップＳＴ２〜ＳＴ１０）。次に、客がデリコーナーＣ３でロールキャベツを選択し、店員がこれを計量器１−３を用いて計量し、付属商品がある場合はこれを要求し、その後登録すると、その登録の情報は、前記と同様、全ての計量器１−１，１−２，１−３において共有される（ステップＳＴ２〜ＳＴ１０）。そしてこれによって客の注文が終了すると、計量器１−３の登録画面Ｇ１において、商品を指定していない状態で扱者欄Ｇ２１を店員が押下し、その押下が全ての商品の計量が終了したことの指示となって、ステップＳＴ１０からステップＳＴ１１に移行し、図１０に示すような小計画面（加算情報画面）Ｇ２を表示する。そしてこの小計額を用いて精算処理を行うことで（ステップＳＴ１２）、一連の処理が完了する。なお、前記精算処理は、他の計量器１−１，１−２を用いて行うこともできる。なお、例えば客がシーフードサラダだけを購入する場合は、計量器１−１を用いて計量し、付属商品がある場合はこれを要求し、登録した後、その計量器１−１（他の計量器１−２，１−３でも良いが）を用いて精算処理を行えば良い。なお、付属商品がある旨の表示は、各商品を計量する毎に行う代りに、最後に精算処理を行う計量器１−３において、まとめて表示し、まとめて計量等しても良い。
【００３５】
以上説明したように、計量器１は、商品を計量して登録を行う登録手段（ステップＳＴ３，ＳＴ８等及びこれらステップを実行するＣＰＵ３１等）と、商品の重量を計量する計量部４７と、登録された商品に付属商品があるか否かを判断し、付属商品がある場合に前記付属商品を前記計量部４７に載置する旨の報知を行う制御部（ステップＳＴ４，ＳＴ５及びこれらステップを実行するＣＰＵ３１等）と、を有している。このように、一旦、付属商品を計量部４７に載置させるので、客に商品を渡す際に、付属商品を渡し忘れることを防止できる。
【００３６】
ここで前記報知は、商品の金額を確定させたときに行うのが好ましい。このように商品の金額確定後に、付属商品を計量部４７に載置させれば、商品の金額確定と付属商品の渡し忘れの防止とを確実に実行することができる。
【００３７】
また上記計量器１のように、付属商品が計量部４７に載置されたと判断されるまで次なる操作を禁止するように構成することが好ましい。報知のみでなく、付属商品が計量部４７に載置されるまで次なる操作が行えないので、付属商品を確実に計量部４７に載置することとなり、これによってさらに確実に、付属商品の渡し忘れを防止することができる。また上記計量器１のように、付属商品が計量部４７に載置されたと判断した場合に報知を解除するように構成することが好ましい。付属商品が計量部４７に載置されるまで報知を継続してその載置を促すので、より確実に付属商品の計量部４７への載置を行わせることができ、その渡し忘れを防止できる。
【００３８】
また上記計量器１のように、商品を載置した状態で付属商品を計量することが好ましい。商品とその付属商品とを同時に計量部４７に載置するので、より確実に、付属商品の渡し忘れを防止することができる。
【００３９】
図１２は、計量器１が実行する計量処理の他の一例を示す動作フロー図である。この例においては、まず、計量器１の表示操作面１９に、例えば図１３に示すような登録画面Ｇ１−２を表示する（ステップＳＴ１−２）。同図に示すように登録画面Ｇ１−２には、選択可能な複数の商品欄Ｇ１１−２及びＧ１１´−２、選択商品表示欄Ｇ１２−２、風袋重量表示欄Ｇ１３−２、品番表示欄Ｇ１４−２、商品重量表示欄Ｇ１５−２、内容量表示欄Ｇ１６−２、単価表示欄Ｇ１７−２、値段表示欄Ｇ１８−２、頁切換ボタンＧ１９−２、扱者欄Ｇ２１−２等が表示されている。商品欄Ｇ１１−２及びＧ１１´−２は、文字だけでなく、その商品の絵等を表示しても良い。商品欄Ｇ１１−２と商品欄Ｇ１１´−２の違いは、商品欄Ｇ１１−２は付属商品のない商品であり、商品欄Ｇ１１´−２は付属商品のある商品である点である。即ちこの例では、付属商品のない商品の商品欄Ｇ１１−２の背景の色彩（例えば緑色）と、付属商品のある商品の商品欄Ｇ１１´−２の背景の色彩（例えばピンク色）とを、異なる色彩とし（図では斜線の有無で示している）、さらに、商品欄Ｇ１１´−２には、商品の他に、「別添※」と表示して、文言でも付属商品があることを表示している。このように、商品欄Ｇ１１−２と商品欄Ｇ１１´−２を区別できるように表示することで、以下の工程で商品を選択する際に、店員は付属商品があることを認識できる。
【００４０】
次に、何れかの商品欄Ｇ１１−２又はＧ１１´−２を指で押下（タッチ）することで、その商品を選択し（ステップＳＴ２−２）、続いてその商品を計量皿１３に載置してその商品の計量を行う（ステップＳＴ３−２）。例えばこの例では、商品欄Ｇ１１−２及びＧ１１´−２の内の「ローストビーフサラダ」を押下して商品を選択した後、その商品「ローストビーフサラダ」を計量皿１３に載置してその商品の計量を行う。これによって図示はしないが、選択された商品「ローストビーフサラダ」が図１３に示す選択商品表示欄Ｇ１２−２に表示され、また確定した計量値や値段等が、それぞれの欄に表示される。そしてステップＳＴ４−２に移行してその商品の登録を行い、次に、新たな商品の登録のために、図１３に示す登録画面Ｇ１−２と同様の登録画面Ｇ１−２を表示する（ステップＳＴ５−２）。
【００４１】
以上のように、ステップＳＴ５−２で表示された登録画面Ｇ１−２において、引き続き次の商品を選択する場合は、登録画面Ｇ１−２に表示された何れかの商品欄Ｇ１１−２又はＧ１１´−２を押下することで、ステップＳＴ６−２からステップＳＴ２−２に移行し、前記と同様の商品登録操作を行う。一方、ステップＳＴ５−２における登録画面Ｇ１−２において、商品を指定していない状態で扱者欄（扱者ボタン、登録完了キー）Ｇ２１−２を押下すると、その押下が全ての商品の計量が終了したことの指示としているので、ステップＳＴ６−２からステップＳＴ７−２に移行し、図１４に示すような小計画面（加算情報画面）Ｇ２−２を表示する。
【００４２】
小計画面Ｇ２−２には、それまでに登録した商品に関する情報や小計額や買上点数などが表示される他に、付属商品がある場合は、その商品について付属商品がある旨の表示を行う。即ち、図１４の小計画面Ｇ２−２の場合は、商品「トマトのボックスサラダ」に付属商品欄Ｆ（Ｆ１）を設けて付属商品を表示し、また商品「サーモンと玉ねぎのマリネ」に付属商品欄Ｆ（Ｆ２）を設けて付属商品を表示する。その際、付属商品がある商品の欄の背景の色彩と、付属商品がない商品の欄の背景の色彩とを異ならせておく。そして付属商品欄Ｆの部分を店員がタッチ（押下）すると、その商品欄の背景の色彩を、付属商品がない商品の欄の背景の色彩と同一に変更する。具体的に、図１４の小計画面Ｇ２−２においては、商品「トマトのボックスサラダ」については既に付属商品欄Ｆ１をタッチして、付属商品があることを店員が確認しているので、付属商品欄Ｆ１に「別添確認済み」の表示を追加した上で、その商品欄の背景の色彩を、付属商品がない商品の欄の背景の色彩（例えば青色）と同一に変更し、一方、商品「サーモンと玉ねぎのマリネ」については付属商品欄Ｆ２をタッチしていないので、その商品欄の背景の色彩を、付属商品がない商品の欄の背景の色彩と異ならせている（例えば赤色、図では色彩が異なることを斜線で示している）。この商品「サーモンと玉ねぎのマリネ」についても、付属商品欄Ｆ２をタッチすれば、その商品欄の背景の色彩を、付属商品がない商品の欄の背景の色彩と同一とし、且つ付属商品欄Ｆ２に「別添確認済み」の表示を追加する。以上のように、付属商品欄Ｆを店員がタッチすることで、付属商品が必要であることを、より確実に店員に認識させることができる。なお、さらに例えば、小計画面Ｇ２−２中に、ポップアップ画面等によって、「別添商品が○○点あります」のような表示を行っても良い。
【００４３】
上記付属商品の確認作業が完了した後に、図示しない現計キーが押下されることで精算を行う旨の指示が入力されると（ステップＳＴ８−２）、ＣＰＵ３１は、前記小計画面Ｇ２−２において全ての付属商品の確認作業（全ての付属商品欄Ｆ１，Ｆ２にタッチすること）が完了しているか否かを判断する（ステップＳＴ９−２）。そして、全ての付属商品の確認作業が完了している場合は、ステップＳＴ１０−２に移行して、前記小計額を用いて精算処理を行い、一連の計量処理を終了する。
【００４４】
一方、ステップＳＴ９−２において、全ての付属商品の確認作業が完了していないと判断した場合は、ステップＳＴ１１−２に移行し、付属商品を確認する旨を表示する。具体的には、例えば図１５に示す小計画面Ｇ２−２のように、ポップアップ画面Ｐ３を表示して、「別添確認未完了の商品があります」のようなコメントを表示する。そして、ポップアップ画面Ｐ３中の確認ボタンＰ３１にタッチすれば、図１４に示すような小計画面Ｇ２−２に戻り、付属商品の確認作業を促す（ステップＳＴ１１−２）。なお、ステップＳＴ１１−２を省略し、ステップＳＴ９−２からステップＳＴ７−２に直接戻るように構成しても良い。
【００４５】
この例の場合も、商品の計量を行った後に、計量した商品を選択しても良い。また上記例では、計量商品について付属商品を付属する場合について説明したが、定貫商品について付属商品を付属する場合にも適用できる。この場合は、図１２に示す動作フロー中の、ステップＳＴ３−２を省略しても良いし、ステップＳＴ３−２で商品の計量を行った上で（但し計量値は金額の算出には利用しない）、ステップＳＴ４−２以下の動作を行っても良い。
【００４６】
また上記実施形態では、図６の登録画面Ｇ１に示すように、複数の商品欄Ｇ１１を表示し、何れかの商品欄Ｇ１１を押下することで商品を選択するように構成しているが、その代りに、前記商品欄Ｇ１１を表示せず、例えば対面販売を行うために陳列している商品の近くに設置してある価格をデジタル表示する表示器に、例えば指で触れて振動を与えることで、その表示器と無線を通じて通信可能に構成した計量器にその商品が選択されたことを報知し、これによって計量器にその商品が選択されたことを入力すると同時に計量器の表示部に選択された商品のみを表示させるように構成しても良い。表示された商品に付属商品がある場合は、付属商品がない商品の場合とは異なる態様（例えば背景の色彩を異ならせたり、付属商品がある旨を文言や絵等で表示する）で表示するようにしてもよい。
【００４７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記実施形態では、商品販売登録装置として計量器を用いた例を説明したが、本発明は上記実施形態に示す構造の計量器に限らず、例えば、計量部付きＰＯＳ端末等でもよく、要は、客が要望する商品を計量して登録を行う装置、或いは客が要望する商品を計量し計量した重量に基づいて金額を算出し商品販売を行う装置であればどのような商品販売登録装置であっても良い。
【００４８】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４９】
１  計量器（商品販売登録装置）          １１  本体部
１３  計量皿（載置部）                  １５  表示及び操作部
１７  ラベル発行口                      １９  表示操作面
２１  テンキー入力部                    ３１  ＣＰＵ（制御部）
３３  ハードディスク                    ３５  ＲＯＭ
３７  ＲＡＭ（記憶部）                  ３９  操作部
４１  発行部                            ４３  表示部
４５  通信部                            ４７  計量部
５０  商品ファイル                      ６０  付属商品ファイル
Ｇ１  登録画面                          Ｇ１１  商品欄
Ｇ１２  選択商品表示欄                  Ｇ１３  風袋重量表示欄
Ｇ１４  品番表示欄                      Ｇ１５  商品重量表示欄
Ｇ１６  内容量表示欄                    Ｇ１７  単価表示欄
Ｇ１８  値段表示欄                      Ｇ１９  頁切換欄
Ｇ２１  扱者欄                          Ｐ１  ポップアップ画面
Ｐ２  ポップアップ画面                  Ｇ２  小計画面（加算情報画面）
１００  フローティングシステム          １−１，１−２，１−３  計量器
１０１  通信線                          Ｃ１  サラダコーナー
Ｃ２  フライコーナー                    Ｃ３  デリコーナー
【図１】
2018005813.tif 000003
【図２】
2018005813.tif 000004
【図３】
2018005813.tif 000005
【図４】
2018005813.tif 000006
【図５】
2018005813.tif 000007
【図６】
2018005813.tif 000008
【図７】
2018005813.tif 000009
【図８】
2018005813.tif 000010
【図９】
2018005813.tif 000011
【図１０】
2018005813.tif 000012
【図１１】
2018005813.tif 000013
【図１２】
2018005813.tif 000014
【図１３】
2018005813.tif 000015
【図１４】
2018005813.tif 000016
【図１５】
2018005813.tif 000017